【手続補正書】
【提出日】平成24年9月5日(2012.9.5)
【手続補正１】
【補正対象書類名】明細書
【補正対象項目名】発明の名称
【補正方法】変更
【補正の内容】
【発明の名称】プロファイル作成方法および印刷装置
【手続補正２】
【補正対象書類名】明細書
【補正対象項目名】０００１
【補正方法】変更
【補正の内容】
【０００１】
本発明は、プロファイル作成方法および印刷装置に関し、特にガマットマッピングが必要なプロファイル作成方法および印刷装置に関する。
【手続補正３】
【補正対象書類名】明細書
【補正対象項目名】０００５
【補正方法】変更
【補正の内容】
【０００５】
本発明は、前記課題にかんがみてなされたもので、グラフなどで使用される原色の再現において濁りが生じることを防止することが可能なプロファイル作成方法および印刷装置の提供を目的とする。
【手続補正４】
【補正対象書類名】明細書
【補正対象項目名】０００９
【補正方法】変更
【補正の内容】
【０００９】
さらに、本発明の技術的思想は、具体的なプロファイル作成方法にて具現化されるのみならず、当該方法をプロファイル作成装置において具現化することもできる。すなわち、上述したプロファイル作成方法が行う各工程に対応する手段を有するプロファイル作成装置としても本発明を特定することができる。むろん、上述したプロファイル作成装置がプログラムを読み込んで上述した各手段を実現する場合には、当該各手段に対応する機能を実行させるプログラムや該プログラムを記録した各種記録媒体においても本発明の技術的思想が具現化できることは言うまでもない。なお、本発明のプロファイル作成方法は、単一の装置のみならず、複数の装置によって分散して存在可能であることはいうまでもない。また、プリンター等の印刷装置において本発明のプロファイル作成方法によって作成されたプロファイルを使用する場合にも、本発明が具現化される。さらに、本発明のプロファイル作成方法によって作成されたプロファイルを読み込んで色変換を実行する装置においては、一定の特徴的な色変換結果（情報処理結果）が得られるため、該プロファイルはプログラムに準ずるものである。
本発明は、複数の有彩色の階調値を有するソース座標を、複数の有彩色インクを含む複数のインクのインク量座標に変換し、変換後のインク量座標に基づくインク量によって印刷を実行可能な印刷装置であって、一つの有彩色の階調値をｘとし当該一つの有彩色を除いた他の有彩色の階調値を最大値としたソース座標を変換したとき、単一の有彩色インクのみによって印刷を実行する（ただし上記ｘは、上記単一の有彩色インクのみにより印刷した場合の最大彩度を実現する階調値以上、かつ、前記ソース座標の最大値未満である）構成としてある。
【手続補正５】
【補正対象書類名】明細書
【補正対象項目名】００１６
【補正方法】変更
【補正の内容】
【００１６】
図４は、ソースプロファイルＳＰとインク量プロファイルＩＰを模式的に示している。ソースプロファイルＳＰは、複数の格子点について、ＣＩＥＬＡＢ色空間（本発明の接続色空間）における座標値（Ｌ*ａ*ｂ*値）とソース色空間の座標値（ソース座標）との対応関係を規定したルックアップテーブルである。本実施例では、ソース色空間はＣＩＥ標準のｓＲＧＢ色空間であるものとし、ソース座標は０〜２５５の階調のＲＧＢ値で表されることとする。ソースプロファイルＳＰは、ソース色空間のソース座標とＣＩＥＬＡＢ色空間のＬ*ａ*ｂ*値との対応関係を規定することができればよく、変換式で与えられてもよい。ｓＲＧＢ色空間の色域（ソースガマットＧＭＳ）は、ＣＩＥ標準によって定められている。ソースガマットＧＭＳは、あらゆるＲＧＢ値をソースプロファイルＳＰに基づいてＬ*ａ*ｂ*値に変換した場合に、該Ｌ*ａ*ｂ*値がＣＩＥＬＡＢ色空間において存在しうる範囲を意味する。
【手続補正６】
【補正対象書類名】明細書
【補正対象項目名】００２０
【補正方法】変更
【補正の内容】
【００２０】
プリンターガマットＧＭＰも８頂点を有しており、それぞれプリンター頂点ＱＷＰ，ＱＲＰ，ＱＧＰ，ＱＢＰ，ＱＣＰ，ＱＭＰ，ＱＹＰ，ＱＫＰと表記し、これらのうちプリンター頂点ＱＲＰ，ＱＧＰ，ＱＢＰ，ＱＣＰ，ＱＭＰ，ＱＹＰをプリンター有彩色頂点と表記する。プリンター頂点ＱＷＰ，ＱＲＰ，ＱＧＰ，ＱＢＰ，ＱＣＰ，ＱＭＰ，ＱＹＰ，ＱＫＰは、それぞれプリンター２０が（Ｃ，Ｍ，Ｙ，Ｋ）＝（０，０，０，０），（０，２５５，２５５，０），（２５５，０，２５５，０），（２５５，２５５，０，０），（２５５，０，０，０），（０，２５５，０，０），（０，０，２５５，０），（２５５，２５５，２５５，０）のインク量で印刷を行った場合に再現される色のＬ*ａ*ｂ*値に対応する。なお、プリンター２０のインク打ち込み量制限を考慮し、ＣＭＹインクのインク量がＫインクのインク量に代替されていてもよい。
【手続補正７】
【補正対象書類名】明細書
【補正対象項目名】００２１
【補正方法】変更
【補正の内容】
【００２１】
プリンターガマットＧＭＰは、高明度側にプリンター稜線ＷＹＰ，ＷＭＰ，ＷＣＰを有している。プリンター稜線ＷＣＰ，ＷＭＰ，ＷＹＰはそれぞれプリンター２０が（Ｃ，Ｍ，Ｙ，Ｋ）＝（ｘ，０，０，０），（０，ｘ，０，０），（０，０，ｘ，０）のインク量で印刷を行った場合に再現される色のＬ*ａ*ｂ*値の軌跡に対応する。すなわち、単色インクのみで再現される色をＣＩＥＬＡＢ色空間でプロットすると、プリンター稜線ＷＹＰ，ＷＭＰ，ＷＣＰが形成されることとなる。ＣＭＹインクは、それぞれ対応する色相において高彩度の色を再現する能力を有しており、単色インクでの再現色はプリンターガマットＧＭＰにおいて最外の稜線を構成する。プリンター稜線ＷＹＰ，ＷＭＰ，ＷＣＰは、プリンターガマットＧＭＰの稜線のうち高明度側に存在することとなる。
【手続補正８】
【補正対象書類名】明細書
【補正対象項目名】００３５
【補正方法】変更
【補正の内容】
【００３５】
上述したプロファイル作成処理によって作成された色変換テーブルＣＰを参照して色変換を行うことにより、ｓＲＧＢ色空間におけるソース稜線ＷＹＳ，ＷＭＳ，ＷＣＳ上の色を、イエローインク，マゼンタインク，シアンインクのみで再現させることができる。ソース稜線ＷＣＳ，ＷＭＳ，ＷＹＳ上の格子点が、（Ｃ，Ｍ，Ｙ，Ｋ）＝（ｘ，０，０，０），（０，ｘ，０，０），（０，０，ｘ，０）のインク量によって再現される色の軌跡を示すプリンター稜線ＷＣＰ，ＷＭＰ，ＷＹＰ上に対応するように修正（ガマットマッピング）されているからである。このようにすることにより、例えばグラフやＣＧ等において多用される原色を鮮やかに再現させることができる。例えば、黄色の棒グラフをイエローインクのみで再現することができる。すなわち、黄色の棒グラフの再現において、イエローインク以外の他のインクのドットが混じることにより、色が濁ることが防止できる。特に、高明度側のソース稜線ＷＹＳ，ＷＭＳ，ＷＣＳについて、単色インクのみの再現を行うようにしているため、高明度の原色の再現を鮮やかにすることができる。また、各格子点のＬ*ａ*ｂ*値は階調性を維持するように修正されているため、自然写真の再現も問題なく行うことができる。本実施例では、低明度側のソース稜線ＫＲＳ，ＫＧＳ，ＫＢＳについては、プリンター稜線ＫＲＰ，ＫＧＰ，ＫＢＰへの修正は行っていない。しかしながら、低明度側のソース稜線ＫＲＳ，ＫＧＳ，ＫＢＳは、もともと濃い色であるため、色の濁りが問題となることはない。なお、ソース稜線ＫＲＳ，ＫＧＳ，ＫＢＳ上の格子点の色相を、プリンター頂点ＱＲＰ，ＱＧＰ，ＱＢＰの色相を維持するようにしているため、プリンター頂点ＱＲＰ，ＱＧＰ，ＱＢＰの付近（稜線の接続部分）において色相が急激に変化することが防止できる。従って、滑らかな階調表現を実現することができる。
【手続補正９】
【補正対象書類名】特許請求の範囲
【補正対象項目名】全文
【補正方法】変更
【補正の内容】
【特許請求の範囲】
【請求項１】
ソース色空間のソース座標と接続色空間におけるソースガマット内の座標との対応関係を規定したソースプロファイルと、インク量空間のインク量座標と前記接続色空間におけるプリンターガマット内の座標との対応関係を規定したインク量プロファイルとを取得し、
前記ソースガマットの２頂点を結ぶ少なくとも１つの稜線上に存在する座標を前記プリンターガマットの稜線上に修正し、
前記ソースプロファイルにおいて修正前の前記座標に対応付けられた前記ソース座標と、前記インク量プロファイルにおいて修正後の前記座標に対応付けられた前記インク量座標との対応関係を規定することによりプロファイルを作成することを特徴とするプロファイル作成方法。
【請求項２】
前記ソースガマットの稜線のうち該ソースガマットの最高明度頂点と有彩色頂点とを結ぶ前記稜線上の前記座標を、前記プリンターガマットの稜線上に修正することを特徴とする請求項１に記載のプロファイル作成方法。
【請求項３】
前記ソースガマットの稜線のうち該ソースガマットの最低明度頂点と有彩色頂点とを結ぶ前記稜線上の前記座標を、一定の色相を有し、かつ、前記プリンターガマット表面上に位置するように修正することを特徴とする請求項２に記載のプロファイル作成方法。
【請求項４】
前記プリンターガマットの稜線上に修正された前記座標に対応付けられた前記インク量座標に基づき、プリンターが単一色の有彩色インクによって色を再現することを特徴とする請求項１から請求項３のいずれか一項に記載のプロファイル作成方法。
【請求項５】
請求項１に記載のプロファイル作成方法によって作成されたプロファイルに基づいて、画像データを構成する各画素が格納する前記ソース座標を、前記インク量座標に変換する色変換手段と、
前記変換された前記インク量座標に基づくインク量によって印刷を行う印刷手段とを具備することを特徴とする印刷装置。
【請求項６】
複数の有彩色の階調値を有するソース座標を、複数の有彩色インクを含む複数のインクのインク量座標に変換し、変換後のインク量座標に基づくインク量によって印刷を実行可能な印刷装置であって、
一つの有彩色の階調値をｘとし当該一つの有彩色を除いた他の有彩色の階調値を最大値としたソース座標を変換したとき、単一の有彩色インクのみによって印刷を実行することを特徴とする印刷装置。ただし上記ｘは、上記単一の有彩色インクのみにより印刷した場合の最大彩度を実現する階調値以上、かつ、前記ソース座標の最大値未満であるとする。